(57)【要約】【課題】住宅の入口のドアに設けるドアロックが、施錠されていないときに、それを警告する施錠警告装置を、維持コストを著しく低減させた状態で実現させる。【解決手段】ドア１の屋内側の扉面１ａで、ドア１開閉用のノブ５の近傍位置に装設されるドアロック６の、施錠操作用のロックつまみ３に、通電により発光・点灯する警告灯Ｌまたは、通電により音声を発生する音声発生器を、ロックつまみ３の開錠位置への回動操作によりオンに作動し施錠位置への回動によりオフに作動するよう制御せしめて装設する。【選択図】図５
2005146816.tif 000002
【特許請求の範囲】
【請求項１】
ドア１の屋内側の扉面１ａで、ドア１開閉用のノブ５の近傍位置に装設されるドアロック６の、施錠操作用のロックつまみ３に、通電により発光・点灯する警告灯Ｌを、ロックつまみ３の開錠位置への回動操作によりオンに作動し施錠位置への回動によりオフに作動するよう制御せしめて装設することを特徴とするドアロックの施錠警告装置。
【請求項２】
ドア１の室内側の扉面１ａで、ドア１開閉用のノブ５の近傍位置に設けるドアロック６の施錠操作用のロックつまみ３に、通電により警告音を発生する音声発生器Ｓｐを、ロックつまみ３の開錠位置への回動操作によりオンに作動し施錠位置への回動によりオフに作動するよう制御せしめて装設することを特徴とするドアロックの施錠警告装置。
【請求項３】
ドアロック６の施錠操作用のロックつまみ３に、そのロックつまみ３と一体に結合して一緒に回動するカバー８を組み付け、そのカバー８に警告灯Ｌと電池８３とそれの回路基板８４とを収蔵せしめ、かつ、カバー８とともにロックつまみ３が施錠位置に回動することで前記回路の警告灯Ｌに対する通電をオフとするよう作動するスイッチＳｗを収蔵せしめることを特徴とする請求項１記載のドアロックの施錠警告装置。
【請求項４】
ドアロック６の施錠操作用のロックつまみ３に、そのロックつまみ３と一体に結合して一緒に回動するカバー８を組み付け、そのカバー８に音声発生器Ｓｐと電池８３と音声回路８７とを収蔵せしめ、かつ、カバー８とともにロックつまみ３が施錠位置に回動することで前記回路８７の音声発生器Ｓｐに対する通電をオフとするよう作動するスイッチＳｗを収蔵せしめることを特徴とする請求項１記載のドアロックの施錠警告装置。
【請求項５】
ロックつまみ３の取付台４に、電池８３と音声発生器Ｓｐとそれの音声回路８７とを収蔵せしめ、ロックつまみ３には、それの施錠位置への回動により前記回路８７をオフとする可動の磁石ＭｇとリードスイッチＳｗとよりなるスイッチ機構を組み込み、かつ、そのスイッチ機構により該ロックつまみ３に設ける警告灯Ｌを、前記音声発生器Ｓｐと連動してオンに作動さすよう制御せしめることを特徴とする請求項１および請求項２記載のドアロックの施錠警告装置。
【請求項６】
ロックつまみ３に組み付けるカバー８を、ロックつまみ３の取付台４と略同径のコーン状に形成することを特徴とする請求項３および請求項４記載のドアロックの施錠警告装置。
【発明の詳細な説明】
【技術分野】
【０００１】  本発明は、住宅の玄関等の入口のドアに設けるドアロックが、施錠されていないことを警告するドアロックの施錠警告装置に関する。
【背景技術】
【０００２】  住宅の玄関等の入口のドアには、ドアを開閉操作するノブの近傍位置にドアを閉鎖位置にロックするドアロックが設けられる。【０００３】  このドアロックは、通常、住宅の外側となるドア１の外面側からキーを差し込んで回転させることで、ドア１の内部に組み込まれている施錠機構が作動して、図１にあるように、ドア１の回動端側の端壁１０から、角柱状の楔体２が突出してきて、前記ドア１の端壁１０と対向する住宅の入口の框枠の端壁に設けた金具の溝穴内に嵌入して、ドア１の開閉をロックするようになる施錠金具であるが、ドア１の住宅の屋内に向かう扉面１ａには、前述のキーの差し込みにより作動する施錠機構を延長する部位に、その施錠機構を屋内側から開閉操作する平板状のロックつまみ３が、扉面に取りつける取付台４から突出するように設けられ、そのロックつまみ３は、それの基端側の軸３０が、図２にあるように取付台４を貫通して、ドア１内部に組み込まれる施錠機構に連繋していて、このロックつまみ３をつまんで回転操作することで、施錠と開錠とが行えるようにしてある。【０００４】  この住宅の入口のドアに取り付けられるドアロックは、居住者が住宅から離れて留守にするときは、キーの差し込みによりドアを閉鎖状態にロックし、また、住人が屋内にいるときは、ロックつまみ３を回すことで、ドアをロックした状態に保持し、防犯の役割を果たす。【０００５】  このドアロックは、上述のようにキーを差し込んで回すか、ロックつまみ３を回すことで、施錠されたロック状態となるが、その施錠が行われていることを確認させる手段は備えていない。【０００６】  この確認は、施錠を行ったときに、ドアのノブ５を握ってドア１を開放する操作を行い、ドアが開かないことを確かめることによる外はなく、このような確認を行うものは殆どいない。多くは施錠操作を行っただけですませている。しかも施錠操作を行ったつもりで、かけ忘れをしていることが多い。特に、屋内側から行う施錠は、キーを使わずに、ドアの屋内側の扉面に取り付けられているロックつまみ３を回す操作だけで行うことから、失念することが多く、このため、防犯の実効があげられない問題がある。
【発明の開示】
【発明が解決しようとする課題】
【０００７】  本発明において解決しようとする問題点は、住宅の入口のドアに取り付けられるドアロックが、ロック操作のかけ忘れにより防犯の効果があげられないことと、このロック操作のかけ忘れを防止するための、警報・警告手段の維持コストに費用がかかる点がある。【０００８】  本発明においては、この住宅の入口のドアに取り付けるドアロックについて、それのロック操作のかけ忘れが効果的の防止し得るようにするのを、維持コストを低く抑えた状態で実現し得るようにすることを目的とする。
【課題を解決するための手段】
【０００９】  そして本発明においては、上述の目的を達成するための手段として、ドア１の屋内側の扉面１ａで、ドア１開閉用のノブ５の近傍位置に装設されるドアロック６の、施錠操作用のロックつまみ３に、通電により発光・点灯する警告灯Ｌを、ロックつまみ３の開錠位置への回動操作によりオンに作動し施錠位置への回動によりオフに作動するよう制御せしめて装設することを特徴とするドアロックの施錠警告装置を提起するものである。【００１０】  また、これに併せて請求項２に記載した、
ドア１の室内側の扉面１ａで、ドア１開閉用のノブ５の近傍位置に設けるドアロック６の施錠操作用のロックつまみ３に、通電により警告音を発生する音声発生器Ｓｐを、ロックつまみ３の開錠位置への回動操作によりオンに作動し施錠位置への回動によりオフに作動するよう制御せしめて装設することを特徴とするドアロックの施錠警告装置と、請求項３に記載した、
ドアロック６の施錠操作用のロックつまみ３に、そのロックつまみ３と一体に結合して一緒に回動するカバー８を組み付け、そのカバー８に警告灯Ｌと電池８３とそれの回路とを収蔵せしめ、かつ、カバー８とともにロックつまみ３が施錠位置に回動することで前記回路の警告灯Ｌに対する通電をオフとするよう作動するスイッチＳｗを収蔵せしめることを特徴とする請求項１記載のドアロックの施錠警告装置と、請求項４に記載した、
ドアロック６の施錠操作用のロックつまみ３に、そのロックつまみ３と一体に結合して一緒に回動するカバー８を組み付け、そのカバー８に音声発生器Ｓｐと電池８３と音声回路８７とを収蔵せしめ、かつ、カバー８とともにロックつまみ３が施錠位置に回動することで前記回路８７の音声発生器Ｓｐに対する通電をオフとするよう作動するスイッチＳｗを収蔵せしめることを特徴とする請求項１記載のドアロックの施錠警告装置と、請求項５に記載した、
ロックつまみ３の取付台４に、電池８３と音声発生器Ｓｐとそれの回路８７とを収蔵せしめ、ロックつまみ３には、それの施錠位置への回動により前記回路８７をオフとする可動の磁石ＭｇとリードスイッチＳｗとよりなるスイッチ機構を組み込み、かつ、そのスイッチ機構により該ロックつまみ３に設ける警告灯Ｌを、前記音声発生器Ｓｐと連動してオンに作動さすよう制御せしめることを特徴とする請求項１および請求項２記載のドアロックの施錠警告装置と、請求項６に記載したロックつまみ３に組み付けるカバー８を、ロックつまみ３の取付台４と略同径のコーン状に形成することを特徴とする請求項３および請求項４記載のドアロックの施錠警告装置とを提起するものである。
【発明の効果】
【００１１】  本発明手段によるドアロックは、住人が住宅の入口から離れた居間にいるとき、または夜間の寝室にいるときに、施錠を忘れていれば、ロックつまみ３またはそれのカバー８に付設の警告灯Ｌが点滅しているか、音声発生器Ｓｐが作動して鳴動していることで、警告を受けることにより失念が防止される。このとき、ロックつまみ３を、それ自体またはそれに装着したカバー８の操作により施錠位置に回動させれば、施錠が完了することで、警告灯Ｌまたは音声発生器Ｓｐの作動がオフとなるから、それにより施錠の確認が行えるようになる。そして、この警告灯Ｌ・音声発生器Ｓｐの作動は施錠によりオフとなるから維持コストは零になる。そしてまた、ドアロック６は、施錠されている状態が殆どであるから、ランニングコストは著しく低減したものとなる。【００１２】  また、外出の際に、ドアロック６をキー７の差し込みと回動とにより施錠する際は、この操作で、ドア１の屋内側の扉面１ａに付設したロックつまみ３が回転するから、それにより、音声発生器Ｓｐの作動が停止することで施錠したこと、およびその施錠が完了したことの確認がおこなえ、ロックのかけ忘れを防止するようになる。
【発明を実施するための最良の形態】
【００１３】  次に本発明の実施の形態を、図面につき実施例について詳述する。
図３・図４・図５・図６は、本発明手段の第１の実施例を示している。これら図において、１は入口のドア、１ａはそのドア１の屋内側の扉面、１０はそのドア１の回動端側の端面、４はドア１の屋内側の扉面１ａに取り付けた側面視において台形をなす取付台、３はその取付台４の屋内側の端面に設けたロックつまみを示す。【００１４】  ロックつまみ３は、ドア１の外面側に取り付けられたロック金具６のキー７の差込口６０に、前記キー７を差し込んで回転させることで、ドア１の内部に組み込まれている施錠機構（図示省略）を作動させて、ドア１の回動側の端面から楔体２を出没させる作動が、住宅の屋内側から作動させ得るように、ドア１の屋内側の扉面１ａに取り付けたもので、前述のロック金具６のキー７の差込口６０と対称する位置に、取付台４を介して取り付けられ、そのロックつまみ３の基端側に設けられた軸３０は、扉面１ａに固定して取り付けられる取付台４を貫通してドア１の内部に突入し、そこに組み込まれている前述の施錠機構と連繋していて、このロックつまみ３を回動操作することで、前述の楔体２の出没作動が行われ、これにより、ドアロックの施錠と開錠とが行われる。【００１５】  ８は、このロックつまみ３に対し装着したカバーで、樹脂材等の適宜の資材により、中空のコーン状に成形され、図３にあるようそれの基端側に形設しておく嵌め込み溝８０を、ロックつまみ３の外周側に差し込み、両面テープ８１およびセットネジ８８の螺合によりロックつまみ３に対し一体的に組み付けセットする。【００１６】  このカバー８の内部には、図５にあるように、先端の頭部側から挿入して押さえ蓋８２により装着するボタン電池８３と、基板８４と、その基板８４にセットしたＬＥＤよりなる警告灯Ｌと、小型の音声発生器Ｓｐと、その警告灯Ｌと前記電池８３との間の回路をオン・オフ制御するリードスイッチＳｗと、そのスイッチＳｗにオン・オフの作動を行わすための磁石Ｍｇとが組み込み収蔵される。【００１７】  前述の磁石Ｍｇは、図６にあるように、カバー８の内部に固定して組み込まれる基板８４に対し一体的に連結する小径の円筒状のケース８６の内部に、転動自在に収蔵されていて、図７にあるよう基板８４がロックつまみ３と平行して水平な状態（施錠位置）にあるときは、磁石Ｍｇがケース８６の傾斜下降側に転動してリードスイッチＳｗから離れた位置にあって、そのスイッチＳｗをオフとし、図８にあるよう基板８４がロックつまみ３と共に、垂直な状態（開錠位置）となったときは、チューブ状のケース８６の逆向の傾斜で、磁石ＭｇがリードスイッチＳｗの隣側位置を占めて、そのスイッチＳｗをオンとするようにしてある。
【実施例１】
【００１８】  次に、図９は別の実施例を示している。この例は、取付台４を中空の枠台に形成して、これの内部に、リードスイッチＳｗの作動を制御する磁石Ｍｇと電池８３と小型のスピーカーＳｐとそれの音声回路８７とを収蔵しておいて、取付台４に軸支するロックつまみ３には、ＬＥＤよりなる警告灯Ｌと、前述の音声回路８７を警告灯Ｌの回路と共にオン・オフ制御するリードスイッチＳｗを収蔵せしめて、ロックつまみ３の小型化を可能とした例である。【００１９】  この実施例では、電池８３と磁石Ｍｇを取付台４に配置することにより、ロックつまみ３は、内部に収蔵せしめるリードスイッチＳｗおよびＬＥＤよりなる警告灯Ｌを平板状のロックつまみ３の平らな板面に沿う方向に設けることで、ロックつまみ３を、通常のものと殆ど変わらない形状大きさのものに形成でき、また取付台４も通常のものと殆ど変わらない形状・大きさのものに形成できる。
【図面の簡単な説明】
【００２０】
【図１】従前のドアロックの、ドアの屋内側から見た斜視図である。
【図２】同上ドアロックの取付台およびロックつまみの斜視図である。
【図３】本発明手段において、ロックつまみに取り付けるカバーの、頭部側から見た斜視図および基端側から見た斜視図である。
【図４】同上カバーの、ロックつまみに取り付ける状態を説明する組付行程の説明図である。
【図５】同上カバーの、組付けた状態の上面図（一部断面図）と縦断正面図である。
【図６】同上カバー内に組込む、基板、リードスイッチ、磁石の収容ケースの斜視図である。
【図７】同上カバー内のリードスイッチがオフの状態の説明図である。
【図８】同上カバー内のリードスイッチがオンとなった状態の説明図である。
【図９】本発明によるドアロックの別の実施例の斜視図である。
【図１０】同上実施例の縦断側面図である。
【符号の説明】
【００２１】  Ｌ…警告灯、Ｍｇ…磁石、Ｓｐ…音声発生器、Ｓｗ…リードスイッチ、１…ドア、１０…端壁、１ａ…扉面、２…楔体、３…ロックつまみ、３０…軸、４…取付台、５…ノブ、６…ドアロック、６０…差込口、７…キー、８…カバー、８０…嵌め込み溝、８１…両面テープ、８２…押さえ蓋、８３…電池、８４基板、８６…ケース、８７…音声回路、８８…セットネジ。
【図１】
2005146816.tif 000003
【図２】
2005146816.tif 000004
【図３】
2005146816.tif 000005
【図４】
2005146816.tif 000006
【図５】
2005146816.tif 000007
【図６】
2005146816.tif 000008
【図７】
2005146816.tif 000009
【図８】
2005146816.tif 000010
【図９】
2005146816.tif 000011
【図１０】
2005146816.tif 000012